(57)【要約】【課題】簡単なリクライニングのリンク機構により、着座者の好みに応じて体重移動をすることにより主として座部揺動、あるいは主として背もたれ部揺動を個別に働かすことができ、さらに座部と背もたれ部の所望の開度にとりながら、揺動できるリクライニング椅子を提供することを目的とする。【解決手段】本発明のリクライニング椅子は、床に載置される脚台１の中心部に起立した脚柱２の上端に軸着された座部支持棹３の後部端に設けた軸穴に、背もたれ部支持棹４が前記背もたれ部支持棹４の下端側に近い位置で軸着され、さらに前記背もたれ部支持棹４の最下端部と前記脚柱２の中間部との間に枢着した弾性部材６Ａにより前記背もたれ部支持棹４が軸穴を支点として揺傾動する構造としている。【選択図】図６
2006006744.tif 000002
【特許請求の範囲】
【請求項１】
床に載置される脚台（１）と、前記脚台（１）の上部に起立連結された脚柱（２）と、前記脚柱（２）の上端部に連結された座部支持棹（３）と、前記座部支持棹（３）の後端側に連結された背もたれ部支持棹（４）と、を有する椅子であって、
前記脚柱（２）は前記脚台（１）の略中心部に設けられた軸穴（２ａ）に枢着されているとともに、前記背もたれ部支持棹（４）の後端部と前記脚柱（２）の中間部とが中間支持棹（８）で連結され、さらに、前記軸穴（２ａ）に近い軸穴（２ｂ）と、前記軸穴（２ａ）より後ろ又は前側の脚台（１）に設けられた軸穴（１ａ）と、の間に第１弾性部材（６Ａ）を枢着することにより、前記座部支持棹（３）及び前記背もたれ部支持棹（４）を揺傾動することを特徴とするリクライニング椅子。
【請求項２】
床に載置される脚台（１）と、前記脚台（１）の上部に起立連結された脚柱（２）と、前記脚柱（２）の上端部に連結された座部支持棹（３）と、前記座部支持棹（３）の後端側に連結された背もたれ部支持棹（４）と、を有する椅子であって、
前記脚柱（２）は前記脚台（１）の略中心部に設けられた軸穴（２ａ）に軸着されており、前記座部支持棹（３）と前記背もたれ部支持棹（４）とは、前記座部支持棹（３）の後端部に設けられ長穴（３ａ）に前記背もたれ部支持棹（４）下端の軸芯（４ａ）を挿入することにより、又は、前記背もたれ部支持棹（４）下端の長穴（３ａ）に前記座部支持棹（３）の後端部に設けられた軸芯（４ａ）を挿入することにより、前記軸芯（４ａ）が、前記長穴（３ａ）内を摺動自在に連結されており、前記背もたれ部支持棹（４）の下端側と前記脚柱（２）の中間部に設けた軸穴（２ｃ）とが中間部支持棹（８）によって連結され、さらに、前記中間部支持棹（８）の延設部（８ａ）に設けた軸穴（４ｃ）と前記座部支持棹（３）前端部に設けた軸穴（２ｄ）との間に第２弾性部材６Ｂを枢着することにより、前記背もたれ部支持棹（４）を揺傾動することを特徴とするリクライニング椅子。
【請求項３】
床に載置される脚台（１）と、前記脚台（１）の上部に起立連結された脚柱（２）と、前記脚柱（２）の上端部に連結された座部支持棹（３）と、前記座部支持棹（３）の後端側に連結された背もたれ部支持棹（４）と、を有する椅子であって、
前記脚柱（２）は前記脚台（１）の略中心部に設けられた軸穴（２ａ）に軸着されており、前記座部支持棹（３）と前記背もたれ部支持棹（４）とは、前記座部支持棹（３）の後端部に設けられ軸穴（３ａ）に前記背もたれ部支持棹（４）下端の軸芯（４ａ）を挿入することにより、又は、前記背もたれ部支持棹（４）下端の軸穴（３ａ）に前記座部支持棹（３）の後端部に設けられた軸芯（４ａ）を挿入することにより、前記軸芯（４ａ）が、前記軸穴（３ａ）内において回動自在に連結されており、前記背もたれ部支持棹（４）の下端の軸穴（４ｂ）と前記脚柱（２）の中間部に設けた軸穴（２ｃ）との間に第３弾性部材（６ｃ）を枢着することにより、前記背もたれ部支持棹（４）を揺傾動することを特徴とするリクライニング椅子。
【請求項４】
床に載置される脚台（１）と、前記脚台（１）の上部に起立連結された脚柱（２）と、前記脚柱（２）の上端部に連結された座部支持棹（３）と、前記座部支持棹（３）の後端側に連結された背もたれ部支持棹（４）と、を有する椅子であって、
前記脚柱（２）は前記脚台（１）の略中心部に設けられた軸穴（２ａ）に枢着されており、前記座部支持棹（３）と前記背もたれ部支持棹（４）とは、前記座部支持棹（３）の後端部に設けられ長穴（３ａ）に前記背もたれ部支持棹（４）下端の軸芯（４ａ）を挿入することにより、又は、前記背もたれ部支持棹（４）下端の長穴（３ａ）に前記座部支持棹（３）の後端部に設けられた軸芯（４ａ）を挿入することにより、前記軸芯（４ａ）が、前記長穴（３ａ）内を摺動自在に連結されており、前記背もたれ部支持棹（４）の下端側と前記脚柱（２）の中間部に設けた軸穴（２ｃ）とが中間部支持棹（８）によって連結され、さらに、前記中間部支持棹（８）の延設部（８ａ）に設けた軸穴（４ｃ）と前記座部支持棹（３）前端部に設けた軸穴（２ｄ）との間に第２弾性部材（６Ｂ）を枢着し、前記軸穴（２ａ）に近い軸穴（２ｂ）と、前記軸穴（２ａ）より後ろ又は前側の脚台（１）に設けられた軸穴（１ａ）と、の間に第１弾性部材（６Ａ）を枢着することにより、前記座部支持棹（３）及び前記背もたれ部支持棹（４）を揺傾動することを特徴とするリクライニング椅子。
【請求項５】
床に載置される脚台（１）と、前記脚台（１）の上部に起立連結された脚柱（２）と、前記脚柱（２）の上端部に連結された座部支持棹（３）と、前記座部支持棹（３）の後端側に連結された背もたれ部支持棹（４）と、を有する椅子であって、
前記脚柱（２）は前記脚台（１）の略中心部に設けられた軸穴（２ａ）に枢着されており、前記座部支持棹（３）と前記背もたれ部支持棹（４）とは、前記座部支持棹（３）の後端部に設けられ軸穴（３ａ）に前記背もたれ部支持棹（４）下端の軸芯（４ａ）を挿入することにより、又は、前記背もたれ部支持棹（４）下端の軸穴（３ａ）に前記座部支持棹（３）の後端部に設けられた軸芯（４ａ）を挿入することにより、前記軸芯（４ａ）が、前記軸穴（３ａ）内において回動自在に連結されており、さらに、前記背もたれ部支持棹（４）の下端の軸穴（４ｂ）と前記脚柱（２）の中間部に設けた軸穴（２ｃ）との間に第３弾性部材（６ｃ）を枢着し、前記軸穴（２ａ）に近い軸穴（２ｂ）と、前記軸穴（２ａ）より後ろ又は前側の脚台（１）に設けられた軸穴（１ａ）と、の間に第１弾性部材（６Ａ）を枢着することにより、前記座部支持棹（３）及び前記背もたれ部支持棹（４）を揺傾動することを特徴とするリクライニング椅子。
【請求項６】
前記座部支持棹（３）の左右両側に配設され、その端部が座部及び背もたれ部と回動自在に枢着されたアームレストを具備することを特徴とする請求項１〜５のいずれか記載のリクライニング椅子。
【請求項７】
請求項１〜６のいずれかに記載のリクライニング椅子において、前記座部支持棹（３）又は／及び背もたれ部支持棹（４）を揺傾動する揺傾動機構を少なくとも１セットを具備することを特徴とするリクライニング椅子。
【発明の詳細な説明】
【技術分野】
【０００１】
本発明は、着座者の体重移行により、背もたれ部や座部の傾斜角度を、同時にあるいは個別に、自在に変化させることが出来るリクライニング椅子に関するものである。
【背景技術】
【０００２】
一般に、リクライニング椅子は、着座者が寄りかかる背もたれ部の角度を、好みに応じて、レバーあるいは姿勢により変えることが出来るようになっている。
従来、この種の椅子としては、特開平５−１６１５１９号公報（特許文献１参照）に開示されているように、背もたれ部角度を自在に傾斜させることが出来るリンク構造が開示されている。
この椅子においては、背もたれ部支棹の下方が固定脚柱の上部に傾動可能なように軸着され、最下端部と脚柱との間に枢着されたスプリングにより背もたれ部支棹が揺傾動する機構となっていた。
【０００３】
さらに、特開２０００−３７２５３号公報（特許文献２参照）には、背部の角度を変えることができ、しかも、所定の角度で固定することができるとともに、背もたれ部自体を弾性体により揺動可能なように配設するリクライニングタイプの椅子が開示されている。
【特許文献１】特開平５−１６１５１９号公報
【特許文献２】特開２０００−３７２５３号公報
【発明の開示】
【発明が解決しようとする課題】
【０００４】
しかしながら、このような従来のリクライニングタイプの椅子において、脚柱に軸着された背もたれ部では、前記背もたれ部のみを、固定脚柱の特定の高さ位置でスプリングを利用して揺傾動させるものであり、着座者の全身が後傾した状態で支えられ任意の角度で座部と背もたれ部が一体となって揺傾動し安楽感を与えるものではない。
また、従来、リクライニング椅子において座部および背もたれ部に傾斜と揺動を付与する為に、座部の下部に極めて複雑なスプリング、スライド、リンク機構等を備えているのが一般的であった。
【０００５】
本発明は、このようにリクライニングのリンク機構が複雑な構造をとらず、着座者の好みに応じて体重移行をすることにより、主として座部揺傾動、あるいは主として背もたれ部揺傾動を、個別または同時に作用させることができるリクライニング椅子を提供することを目的とする。
また、本発明の別の目的は、座部と背もたれ部が所望の開度にとりながら揺傾動でき、着座者が単に体重移行の流れの中で自分の所望するリクライニング姿勢を連続的に取ることが出来るリクライニング椅子を提供することである。
さらに、着座者の座る体勢の維持により、擬似的に多段階リクライニングとしても作用するリクライニング椅子を提供することである。
【課題を解決するための手段】
【０００６】
本発明は、上記の課題を解決するために、リクライニング椅子全体を支えるリンク機構に弾性部材にを枢着することより揺傾動可能な構造とした。
すなわち、本発明の請求項１に記載のリクライニング椅子は、床に載置される脚台と、前記脚台の上部に起立連結された脚柱と、前記脚柱の上端部に連結された座部支持棹と、前記座部支持棹の後端側に連結された背もたれ部支持棹と、を有する椅子であって、前記脚柱は前記脚台の略中心部に設けられた軸穴に枢着されているとともに、前記背もたれ部支持棹の後端部と前記脚柱の中間部とが中間支持棹で連結され、さらに、前記軸穴に近い脚柱下部位置と、前記軸穴より後ろ又は前側の脚台に設けられた脚台部位置と、の間に第１弾性部材を枢着することにより、前記座部支持棹及び前記背もたれ部支持棹を揺傾動することを特徴とする。
【０００７】
請求項２に記載のリクライニング椅子は、床に載置される脚台と、前記脚台の上部に起立連結された脚柱と、前記脚柱の上端部に連結された座部支持棹と、前記座部支持棹の後端側に連結された背もたれ部支持棹と、を有する椅子であって、前記脚柱は前記脚台の略中心部に設けられた軸穴に軸着されており、前記座部支持棹と前記背もたれ部支持棹とは、
前記座部支持棹の後端部に設けられ長穴に前記背もたれ部支持棹下端の軸芯を挿入することにより、又は、前記背もたれ部支持棹下端の長穴に前記座部支持棹の後端部に設けられた軸芯を挿入することにより、前記軸芯が、前記長穴内を摺動自在に連結されており、前記背もたれ部支持棹の下端側と前記脚柱の中間部に設けた軸穴とが中間部支持棹によって連結され、さらに、前記中間部支持棹の延設部に設けた軸穴と前記座部支持棹前端部に設けた軸穴との間に第２弾性部材を枢着することにより、前記背もたれ部支持棹を揺傾動することを特徴とする。
【０００８】
請求項３に記載のリクライニング椅子は、床に載置される脚台と、前記脚台の上部に起立連結された脚柱と、前記脚柱の上端部に連結された座部支持棹と、前記座部支持棹の後端側に連結された背もたれ部支持棹と、を有する椅子であって、前記脚柱は前記脚台の略中心部に設けられた軸穴に軸着されており、前記座部支持棹と前記背もたれ部支持棹とは、前記座部支持棹の後端部に設けられ穴に前記背もたれ部支持棹下端の軸芯を挿入することにより、又は、前記背もたれ部支持棹下端の穴に前記座部支持棹の後端部に設けられた軸芯を挿入することにより、前記軸芯が、前記穴内において回動自在に連結されており、前記背もたれ部支持棹の下端の軸穴と前記脚柱の中間部に設けた軸穴との間に第３弾性部材を枢着することにより、前記背もたれ部支持棹を揺傾動することを特徴とする。
【０００９】
請求項４に記載のリクライニング椅子は、床に載置される脚台と、前記脚台の上部に起立連結された脚柱と、前記脚柱の上端部に連結された座部支持棹と、前記座部支持棹の後端側に連結された背もたれ部支持棹と、を有する椅子であって、前記脚柱は前記脚台の略中心部に設けられた軸穴に枢着されており、前記座部支持棹と前記背もたれ部支持棹とは、前記座部支持棹の後端部に設けられ長穴に前記背もたれ部支持棹下端の軸芯を挿入することにより、又は、前記背もたれ部支持棹下端の長穴に前記座部支持棹の後端部に設けられた軸芯を挿入することにより、前記軸芯が、前記長穴内を摺動自在に連結されており、前記背もたれ部支持棹の下端側と前記脚柱の中間部に設けた軸穴とが中間部支持棹によって連結され、さらに、前記中間部支持棹の延設部に設けた軸穴と前記座部支持棹前端部に設けた軸穴との間に第２弾性部材を枢着し、前記軸穴に近い脚柱下部位置と、前記軸穴より後ろ又は前側の脚台に設けられた脚台部位置と、の間に第１弾性部材を枢着することにより、前記座部支持棹及び前記背もたれ部支持棹を揺傾動することを特徴とする。
【００１０】
請求項５に記載のリクライニング椅子は、床に載置される脚台と、前記脚台の上部に起立連結された脚柱と、前記脚柱の上端部に連結された座部支持棹と、前記座部支持棹の後端側に連結された背もたれ部支持棹と、を有する椅子であって、前記脚柱は前記脚台の略中心部に設けられた軸穴に枢着されており、前記座部支持棹と前記背もたれ部支持棹とは、前記座部支持棹の後端部に設けられ穴に前記背もたれ部支持棹下端の軸芯を挿入することにより、又は、前記背もたれ部支持棹下端の穴に前記座部支持棹の後端部に設けられた軸芯を挿入することにより、前記軸芯が、前記穴内において回動自在に連結されており、さらに、前記背もたれ部支持棹の下端の軸穴と前記脚柱の中間部に設けた軸穴との間に第３弾性部材を枢着し、前記軸穴に近い脚柱下部位置と、前記軸穴より後ろ又は前側の脚台に設けられた脚台部位置と、の間に第１弾性部材を枢着することにより、前記座部支持棹及び前記背もたれ部支持棹を揺傾動することを特徴とする。
【００１１】
請求項６に記載のリクライニング椅子は、請求項１〜５のいずれかにおいて、前記座部支持棹の左右両側に配設され、その端部が座部及び背もたれ部と回動自在に枢着されたアームレストを具備することを特徴とする。
【００１２】
請求項７に記載のリクライニング椅子は、請求項１〜６のいずれかにおいて、前記座部支持棹又は／及び背もたれ部支持棹を揺傾動する揺傾動機構を少なくとも１セットを具備することを特徴とする。
【発明の効果】
【００１３】
請求項１に記載のリクライニング椅子においては、着座者は体重を背部後方に移すようにすることにより、脚柱２は第１弾性部材６Ａを縮み変形させながら後方に傾動する。この脚柱２の傾動に応じて背もたれ部支持棹４及び座部支持棹３は、脚柱２の軸穴２ａを中心に後方に傾動するとともに、第１弾性部材６Ａを変形させるので、着座者の姿勢による体重位置の変化に応じて反動し揺動する状態となる。
このように、請求項１のリクライニング椅子は、脚柱２の下端、すなわち脚台１との軸穴２ａを支点として、背もたれ部支持棹４と座部支持棹３とが一体となって揺傾動することにより、リクライニング椅子の安楽感を高めることができる。
【００１４】
請求項２のリクライニング椅子においては、背もたれ部支持棹４の下端において、座部支持棹３の後端部に設けられた長穴３ａに背もたれ部支持棹４下端の軸芯４ａを挿入することにより、又は、背もたれ部支持棹４下端の長穴３ａに座部支持棹３の後端部に設けられた軸芯４ａを挿入することにより、軸芯が、長穴３ａ内を摺動自在に連結され、背もたれ部支持棹４の下部端と脚柱２中間部の軸穴４ｃとが中間部支持棹８によって連結されているので、背もたれ部支持棹４に後方向きの力がかかると、長穴３ａ内の後方又は前方の端へ軸芯４ａが移動する。
着座者が体重を大腿部に均等にかけた場合は、主として座部が少し後方に揺傾動する作用を示すが、体重を臀部後方に移すとともに背を後ろに反らすと、背もたれ部支持棹４は座部支持棹３との角度が開く状態となり、リクライニング椅子の安楽感を高めることができる。
【００１５】
請求項３のリクライニング椅子においては、座部支持棹３と背もたれ部支持棹４とは、座部支持棹３の後端部に設けられ軸穴３ａに背もたれ部支持棹４下端の軸芯４ａを挿入する等して、軸芯４ａが、軸穴３ａ内において回動自在に連結され、背もたれ部支持棹４の下端の軸穴４ｂと脚柱２の中間部に設けた軸穴２ｃとの間に第３弾性部材６ｃが枢着されて、背もたれ部支持棹４を揺傾動させる。
さらに、軸穴３ａ、４ｂ、２ｃは三角形を構成し、背もたれ部支持棹４が軸穴３ａを中心として回動できるようになっている。
背もたれ部支持棹４の下端の軸穴４ｂと脚柱２の中間部軸穴２ｃとの間に、第３弾性部材６Ｃが枢着されているので、着座前の状態においては背もたれ部支持棹４は前方に保持されており、着座者の背中を押すように付勢されている。着座者が体重を臀部にかけ背を後方に反らすと、背もたれ部支持棹４の下端の軸穴４ｂ位置は、第３弾性部材６Ｃの反発を受けながら、三角形を構成している軸穴３ａ、４ｂ、２ｃの位置関係が直線状態になるように移行する。着座者は弾性部材６Ｃの作用による反発を背中に受けながら仰向けに傾動する姿勢状態を保つことができる。
【００１６】
請求項４のリクライニング椅子において、着座者が体重を背部後方に移すと、背もたれ部支持棹４と座部支持棹３の全体を支えている脚柱２が、第１弾性部材６Ａを圧縮するようにして揺傾動する。
同時に、中間部支持棹８の延設部８ａに枢着された第２弾性部材を反発を受けながら圧縮変形させる。
さらに、背もたれ部支持棹４が中間部支持棹８を介して第２弾性部材に枢着されているので、着座者が体重を大腿部に均等にかけた場合は、座部が主として脚柱２の動きにより少し揺動するのみであるが、臀部後方に体重を移し更に背を反らすと背もたれ部支持棹４と座部支持棹３の角度が開き、かつ座部支持棹３を含め椅子全体が下後方に大きく揺傾動する。
このように、背もたれ部支持棹４と座部支持棹３との開角と同時に、脚柱２の揺動が相乗作用を来すすことにより、リクライニング椅子の安楽感を大きく高めることができる。
【００１７】
請求項５のリクライニング椅子において、背もたれ部支持棹４と座部支持棹３の全体を支えている脚柱２が第１弾性部材により揺傾動する。
さらに、背もたれ部支持棹４の下端と脚柱２の中間部位置との間に第３弾性部材が枢着されている。
したがって、着座者が体重を主として大腿部に均等にかけた場合は、座部支持棹３が少し揺動するのみであるが、臀部後方に移し更に背を反らすと背もたれ部支持棹４と座部支持棹３の角度が開き、かつ座部支持棹３を含め全体が下後方に大きく揺傾動する。
このように、脚柱２の下端、すなわち脚台１との軸穴２ａを支点とした揺傾動と、背もたれ部支持棹４と座部支持棹３が開角する揺傾動とが同時に生じることで、リクライニング椅子の安楽感を大きく高めることができる。
【００１８】
請求項６のリクライニング椅子は、座部支持棹の左右両側に回動自在に枢着されたアームレストを具備することで、着座者は腕を安定して休ませることが出来るとともに、アームレスト７を支えとして前方や後方への体重移行が容易にできるようになる。
請求項７のリクライニング椅子は、座部支持棹又は／及び背もたれ部支持棹を揺傾動する揺傾動機構を複数具備することで、リクライニング椅子の横幅を長くした場合などにおいて、より安定したリクライニング機構とすることができる。
【００１９】
本発明のリクライニング椅子は、前記リンク機構を１セット配設する場合、リクライニング椅子の中央部に配設することが好適であるが本発明のリンク機構は簡単な構造であるから椅子のデザイン上または好みに応じて椅子の中央部に限らず片方のサイドのみに配設しても良く、配設位置を限定するものではない。さらに、椅子正面幅の広い長椅子形態のものにあっては、左右あるいは中央部に１対または３セット配設することも出来る。
【００２０】
また、本発明のリクライニング椅子は、背もたれ部前面上および座部面上にクッション体を設けることにより、このクッション変形と相乗し、リクライニング椅子としての緩やかな揺傾動を生じ、着座者に心地よい安楽感を与えることができる。
【発明を実施するための最良の形態】
【００２１】
以下、本発明のリクライニング椅子についての実施の形態を、図面に基づいて詳細に説明する。図１〜図５は、本発明のリクライニング椅子の実施の形態１〜５を説明する、それぞれの側面図である。図６は実施の形態４のリクライニング椅子を下方から見た斜視図である。
図７は本発明のリクライニング・リンク機構を椅子の左右中央部に１セット配設した場合の正面図である。
本発明のリクライニング椅子は、リクライニング椅子全体を支える脚柱を、脚台の前後中心部に枢着又は軸着させ、弾性部材により揺傾動可能なリクライニング・リンク機構を備えたものである。
すなわち、本発明のリクライニング椅子は、床に載置される脚台１と、脚台１の上部に起立連結された脚柱２と、脚柱２の上端部に連結された座部支持棹３と、座部支持棹３の後端側に連結された背もたれ部支持棹４と、のリクライニング・リンク機構を備えることを基本構成とする。以下、本発明のリクライニング椅子について、実施の形態を説明する。
【００２２】
（実施の形態１）
実施の形態１のリクライニング椅子は、図１に示すように、側面から見て、脚台１の上部に脚柱２が起立連結されており、脚柱２の上端部には座部支持棹３の前端部が連結され、座部支持棹３は後方に向かって延設されており、さらに、座部支持棹３の後端側に背もたれ部支持棹４が連結され、背もたれ部支持棹４上方に向かって延設されている。
また、実施の形態１のリクライニング椅子は、その正面（図１において右側）から見て、
脚柱２が、脚台１のほぼ中心部に軸穴２ａに枢着されており、脚柱２の前後への揺傾動の下端支点として作用する。ここで枢着とは軸穴回りに回動自在である場合や軸穴内を摺動自在な場合をいい、軸着とは軸穴に固定される場合をいう。なお、本発明では、枢着、軸着などを含めた概念として、別の部材をつなげることを連結という用語を用いている。
さらに、脚柱２には、軸穴２ａの近くの上方（図１において左上方）に他の軸穴２ｂが設けられており、また脚台１の後方には軸穴１ａが設けられており、前記軸穴２ｂと軸穴１ａとの間に第１弾性部材６Ａを枢着し、第１弾性部材６Ａの両端部は、軸穴１ａ、２ｂと回動自在に連結し、脚柱２が軸穴２ａを下端支点として前後揺傾動できるように構成している。
【００２３】
リクライニング・リンク機構を構成する脚台１、脚柱２、座部支持棹３及び背もたれ部支持棹４は、その強度を要求されるので、素材としては、スチール、アルミニウム、チタンなどの金属が望ましいが、強度のあるものであれば、プラスチック（例えば繊維強化樹脂）、木材（貼り合わせ合板）等でも差し支えない。また、座部支持棹３の上部に設ける座部３ｂや背もたれ部支持棹４の上部に設ける背もたれ部４ｄの構造や材質は、特に限定されるものではなく、公知のバネ、スポンジ等を内部に有する弾性板等を用いることができ、人体の背部、臀部、大腿部の幅、形にフィットするように適宜選択される。
【００２４】
以上の構成を有する実施の形態１のリクライニング椅子は、次の作用を奏する。脚柱２、座部支持棹３および背もたれ部支持棹４が三角形構造となっており、デザイン、強度ともに非常に実用性の高いものとすることができる。
さらに、着座前において三角形を構成する軸穴２ａ、２ｂ、１ａは、着座者が座部３ｂの後方に体重をかけると、脚柱２は下端支点である軸穴２ａを回動中心として後方に傾動する。
このとき、着座者の体重の後方への移行が大きくなり脚柱２の後傾動が進むと、第１弾性部材６Ａが圧縮され、軸穴２ａ、２ｂ、１ａがほぼ水平の直線状態に近くなる。なお、脚柱２の後傾動の最大傾斜角度をどの程度に設定するかは、第１弾性部材６Ａの反発強度や軸穴２ａの下部にストッパー１ｂ等を適宜配設することにより、傾動角度を任意に設定することが出来る。
【００２５】
（実施の形態２）
実施の形態２のリクライニング椅子は、基本的なリクライニング・リンク機構を構成する脚台１、脚柱２、座部支持棹３及び背もたれ部支持棹４は、実施の形態１と同様であるが、次の点で異なる。
実施の形態２のリクライニング椅子は、図２に示すように、側面から見て、背もたれ部支持棹４の下端において、座部支持棹３の後端部に設けられた長穴３ａに背もたれ部支持棹４下端の軸芯４ａを挿入することにより、軸芯４ａが、長穴３ａ内を摺動自在に連結され、背もたれ部支持棹４の下部端と脚柱２中間部の軸穴４ｃとが中間部支持棹８によって連結されている。
さらに、前記背もたれ部支持棹４の下端側と前記脚柱２の中間部に設けた軸穴２ｃとが中間部支持棹８によって連結され、前記中間部支持棹８の延設部８ａに設けた軸穴４ｃと前記座部支持棹３前端部に設けた軸穴２ｄとの間に第２弾性部材６Ｂを枢着しており、これにより、前記背もたれ部支持棹４を揺傾動させる構成となっている。
なお、軸芯４ａと、長穴３ａとの摺動自在連結は、前記背もたれ部支持棹４下端の長穴３ａに座部支持棹３の後端部に設けられた軸芯４ａを挿入することにより連結させてもよい。
この場合は、座部支持棹３側に軸芯４ａを設けて、背もたれ部支持棹４に設けた長穴３ａに枢着されるが、背もたれ部４ｄ及び座部３ｂの後傾揺動作用は全く同じである。ここで、軸芯４ａの位置は、長穴３ａにおける初期位置である。
なお、長穴の形状の変容例として、途中に窪みを設け、その窪みに軸芯を落とし込むことによって、リクライニング作用を段階的に調整することもできる。
【００２６】
また、実施の形態１のリクライニング椅子においては軸穴２ａで脚柱２が傾動可能であったが、実施の形態２のリクライニング椅子においては、脚柱２は傾動せず起立軸着している。このため軸穴２ｂと脚台軸穴１ａとの間に固定部材６ＲＡを配設している。なお、固定部材６ＲＡを省略して、脚台１に直接脚注２を軸着させてもよい。
【００２７】
着座者による体重がかかっていない状態では、第２弾性部材６Ｂの反発力は脚柱２の中間部の軸穴２ｃを回動中心として、背もたれ部支持棹４に設けた軸芯４ａは座部支持棹３の長穴３ａ内の上方端位置に押さえつけられている。着座者が体重を臀部に移したとき、軸芯４ａは、座部支持棹３の前端部軸穴２ｄでの反時計回りの回動により、長穴３ａ内を下方（図２において左下方）に向かって摺動移行する。
すなわち、軸芯４ａは、長穴３ａ内を図２において左下方位置である軸芯４ａ’の位置に摺動移行するとともに、背もたれ部支持棹４が後方傾動する。
そして、この背もたれ部支持棹４の後方傾動は、弾性体６Ｂの反発を受けながら弾力的に進行するので、着座者は背もたれ部４ｄに体を預けながらゆっくりと後部傾動することができる。
背もたれ部支持棹４に長穴３ａを設ける場合は、外力がかかる前は軸芯は４ａ’の位置にあり、外力の増加に伴い時計回りに４ａ’から４ａに移動する。長穴３ａを座部支持棹３に設けるか、背もたれ部支持棹４に設けるかで、挙動が異なる。ここで、軸芯４ａ’の位置は、長穴３ａにおける稼働限界位置である。
なお、上記では、座部支持棹３と背もたれ部支持棹４とは、長穴３ａを用いて連結されているという説明をしたが、長穴を用いずに、例えば、図８に示すようにヒンジＨを用いて連結してもよい。図８において、ヒンジＨは、ピン支点Ａで背もたれ部支持棹４に軸着されており、ピン支点Ｂで座部支持棹３に軸着されている。そして、ピン支点Ａとピン支点Ｂは、ピン支点Ｃで連結されて、ＡＢ間をワイヤー又は引張りに働く弾性部材Ｄで連結あせる構造としている。上記では、ヒンジ及びそれらを連結する弾性部材Ｄの両者が存在する場合を説明したが、ヒンジＨ単独、弾性部材Ｄ単独でもよい。
【００２８】
（実施の形態３）
実施の形態３のリクライニング椅子は、基本的なリクライニング・リンク機構を構成する脚台１、脚柱２、座部支持棹３及び背もたれ部支持棹４は、実施の形態１と同様であるが、次の点で異なる。
実施の形態３のリクライニング椅子は、図３に示すように、側面から見て、脚柱２は脚台１の略中心部に設けられた軸穴２ａに軸着されており、座部支持棹３と背もたれ部支持棹４とは、座部支持棹３の後端部に設けられ軸穴３ａに背もたれ部支持棹４下端の軸芯４ａを挿入することにより、又は、背もたれ部支持棹４下端の軸穴３ａに座部支持棹３の後端部に設けられた軸芯４ａを挿入することにより、軸芯４ａが、軸穴３ａ内において回動自在に連結されており、背もたれ部支持棹４の下端の軸穴４ｂと脚柱２の中間部に設けた軸穴２ｃとの間に第３弾性部材６ｃを枢着することにより、前記背もたれ部支持棹４を揺傾動させる構成になっている。
さらに、実施の形態３のリクライニング椅子は、軸穴３ａ、４ｂ、２ｃは三角形を構成し、背もたれ部支持棹４が軸穴３ａを中心として回動できるようになっている。
【００２９】
この背もたれ部支持棹４の下端の軸穴４ｂと脚柱２の中間部軸穴２ｃとの間に、第３弾性部材６Ｃが枢着されているので、着座前の状態においては背もたれ部支持棹４は前方に保持されており、着座者の背中を押すように付勢されている。ところが、着座者が体重を臀部にかけ背を後方に反らすと背もたれ部支持棹４の下端の軸穴４ｂ位置は、第３弾性部材６Ｃの反発を受けながら、三角形を構成している軸穴３ａ、４ｂ、２ｃの位置関係が直線状態になるように移行する。着座者は弾性部材６Ｃの作用による反発を背中に受けながら仰向けに傾動する姿勢状態を保つことができる。
【００３０】
（実施の形態４）
実施の形態４のリクライニング椅子は、基本的なリクライニング・リンク機構を構成する脚台１、脚柱２、座部支持棹３及び背もたれ部支持棹４は、実施の形態１と同様であるが、次の点で異なる。
実施の形態４のリクライニング椅子は、図４、図６及び図７に示すように、側面から見て、脚柱２は脚台１の略中心部に設けられた軸穴２ａに枢着されており、座部支持棹３と背もたれ部支持棹４とは、座部支持棹３の後端部に設けられ長穴３ａに背もたれ部支持棹４下端の軸芯４ａを挿入することにより、又は、背もたれ部支持棹４下端の長穴３ａに座部支持棹３の後端部に設けられた軸芯４ａを挿入することにより、軸芯４ａが、長穴３ａ内を摺動自在に連結されており、背もたれ部支持棹４の下端側と脚柱２の中間部に設けた軸穴２ｃとが中間部支持棹８によって連結され、さらに、中間部支持棹８の延設部８ａに設けた軸穴４ｃと座部支持棹３前端部に設けた軸穴２ｄとの間に第２弾性部材６Ｂを枢着し、軸穴２ａに近い軸穴２ｂと、軸穴２ａより後ろ又は前側の脚台１に設けられた軸穴１ａと、の間に第１弾性部材６Ａを枢着することにより、座部支持棹３及び背もたれ部支持棹４を揺傾動させる構成になっている。
【００３１】
実施の形態４のリクライニング椅子は、実施の形態１（図１）と実施の形態２（図２）で説明した第１及び第２弾性部材６Ａ、６Ｂの両者をともに配設したものである。
すなわち、脚柱２の軸穴２ｂと脚台１の軸穴１ａとの間に、第１弾性部材６Ａが枢着され、さらに、脚柱２の上端部の軸穴２ｄと背もたれ部支持棹４の最下端部軸穴４ｃとの間には、第２弾性部材６Ｂが枢着されている。
また、背もたれ部支持棹４の中間部には軸芯４ａが座部支持棹３の後部に設けられた長穴３ａと枢着されている。
第１及び第２弾性部材６Ａ及び６Ｂの配設による揺傾動の動きが相乗効果を示して、着座者に伝わることから着座者は極めて高い安楽感を得ることができる。
すなわち着座者は体重を臀部に移行させ、背中を反らすことで身体をより水平状態に開くことが出来るとともに、脚柱２下部の弾性体６Ａによる揺傾動を同時に受けることができる。
【００３２】
（実施の形態５）
実施の形態５のリクライニング椅子は、基本的なリクライニング・リンク機構を構成する脚台１、脚柱２、座部支持棹３及び背もたれ部支持棹４は、実施の形態１と同様であるが、次の点で異なる。
実施の形態５のリクライニング椅子は、図５に示すように、側面から見て、脚柱２は脚台１の略中心部に設けられた軸穴２ａに枢着されており、座部支持棹３と背もたれ部支持棹４とは、座部支持棹３の後端部に設けられ軸穴３ａに背もたれ部支持棹４下端の軸芯４ａを挿入することにより、又は、背もたれ部支持棹４下端の軸穴３ａに座部支持棹３の後端部に設けられた軸芯４ａを挿入することにより、軸芯４ａが、軸穴３ａ内において回動自在に連結されており、さらに、背もたれ部支持棹４の下端の軸穴４ｂと脚柱２の中間部に設けた軸穴２ｃとの間に第３弾性部材６ｃを枢着し、軸穴２ａに近い軸穴２ｂと、軸穴２ａより後ろ又は前側の脚台１に設けられた軸穴１ａと、の間に第１弾性部材６Ａを枢着することにより、座部支持棹３及び背もたれ部支持棹４を揺傾動させる構成になっている。
【００３３】
実施の形態５のリクライニング椅子は、実施の形態１（図１）と実施の形態３（図３）で説明した第１及び第３弾性部材６Ａ、６Ｃの両者をともに配設したものである。
すなわち、脚柱２の軸穴２ｂと脚台１の軸穴１ａとの間に、第１弾性部材６Ａが枢着され、背もたれ部支棹４下端の軸穴４ｂと脚柱２の中間部の軸穴２ｃとの間に、第３弾性部材６Ｃが枢着されている。
【００３４】
また、この座部支持棹３の後部端は、背もたれ部支持棹４の後端部と軸穴３ａにおいて枢着され、背もたれ部支持棹４が軸穴３ａを中心として回動できるようになっている。
実施の形態５のリクライニング椅子においても、第１弾性部材６Ａ及び第３弾性部材６Ｃの配設による揺傾動の動きが相乗効果を示して、着座者に伝わることから着座者は極めて高い安楽感を得ることができる。
すなわち、着座者が体重を臀部に移行させ背を後方に反らすことにより、背もたれ部支持棹４の軸穴３ａ、４ｂと、脚柱２の軸穴２ｃとの３点の位置関係がより直線状態になるように変化し、着座者の身体は後方に大きく開いた状態が可能となるから、さらに大きい安楽感を得ることができる。
【００３５】
実施の形態４や実施の形態５に示すリクライニング椅子は、弾性部材を２台配設することにより、前記のように身体を直線状態に伸ばした状態で後傾揺動を得るか、身体は余り伸ばさずに（上体と下半身との角度を保って）、主として脚柱２の後傾による着座姿勢を得るかを、着座者の所望に応じて体重移行により容易に実現できる。
【００３６】
また、図６に示すように、リクライニング椅子の座部３ｂあるいは背もたれ部４ｄには、左右両側に回動自在な枢着により構成したアームレスト７を付設することにより着座者は腕を安定して休ませることが出来るとともに、アームレスト７を支えとして前方や後方への体重移行が容易にできるようになる。
【００３７】
背もたれ部４ｄ、座部３ｂ、脚柱２を揺傾動するための弾性部材（６Ａ，６Ｂ，６Ｃ）としては、金属製コイルスプリング、エアースプリング、ガススプリング、オイルダンパーなど、公知の弾性部材、又はそれらの組合せによる部材を適宜使用することができる。
【００３８】
実施の形態１〜５のリクライニング椅子は、図７に示すような椅子の中心部に配設した１セットのリンク機構を例示して説明するが、本発明はこれらの実施の形態に限るものではなく、リクライニング椅子の横幅を長くした場合は、椅子の正面から見て、リクライニング・リンク機構を左右１対またはそれ以上の数を設けることもできる。これにより、長椅子などにおいて安定したリクライニング機構とすることができる。
【００３９】
なお、本発明は、上記の各実施の形態に示した、脚台１、脚柱２、座部３ｂ・背もたれ部支持棹４、弾性部材のデザイン形状に限定されるものではない。本発明のリクライニング椅子の技術思想は、実施の形態に例示的に示すように各部材を枢着あるいは軸着して連結することを本質とするものであり、着座者が体重移行することにより所望の身体角度および揺傾動を得ることができるリクライニング椅子にある。よって、本発明の主旨を逸脱しない範囲で、種々に形状変更、部材変更が可能である。
また、リクライニング椅子は、簡単な構造で特有の効果を示すものであり、着座前の脚柱２の前傾角度、座部３ｂの水平度、あるいは着座後の最傾斜角度などは、弾性部材の強度選択およびストッパーを配設すること等により容易に好みの状態で実施可能である。
さらに、本発明におけるリクライニング機構において、弾性部材を取り付ける位置は、他の態様例として、図９〜図２１に示すように、様々な態様が考えられ、本発明の技術思想はこれらの形態をも含むものである。図９〜図２１において、弾性部材６Ａ’は弾性部材６Ａと同機能を提供する別配置の部材を示す。よって、弾性部材６Ａ、６Ａ＋６Ｂ、６Ａ＋６Ｃの配置と、弾性部材６Ａ’、６Ａ’＋６Ｂ、６Ａ’＋６Ｃの配置は、配置位置が異なっているが、それぞれ同機能である。すなわち、機能的には、６Ａ＝６Ａ’、６Ａ＋６Ｂ＝６Ａ’＋６Ｂ、６Ａ＋６Ｃ＝６Ａ’＋６Ｃとなる。一方、弾性部材６Ｄ、６Ｅは、弾性部材６Ｂ、６Ｃと機能的には同列の配置でしかない。
なお、図９〜図２１に示す態様において、弾性部材の配置は、６Ａ＋（６Ｂ  ｏｒ  ６Ｃ  ｏｒ  ６Ｄ  ｏｒ  ６Ｄ＋６Ｅ）か、６Ａ’＋（６Ｂ  ｏｒ  ６Ｃ  ｏｒ  ６Ｄ  ｏｒ  ６Ｄ＋６Ｅ）ということであって、６Ａ＋（６Ｂ  ｏｒ  ６Ｃ）若しくは６Ａ’＋（６Ｄ  ｏｒ  ６Ｄ＋６Ｅ）と言う意味で、６Ｄ・６Ｅを配置したのではないことに注意が必要である。
【産業上の利用可能性】
【００４０】
本発明のリクライニング椅子は、以上に詳述したように着座者の体重移行により座部と背もたれ部の開度変化と脚台の傾斜角度変化を実現でき、座部、背もたれ部、脚柱の、単独あるいは相乗した揺傾動により、着座者に極めて高い安楽な座り心地やリラックスした姿勢を提供することができる。
また、本発明のリクライニング椅子は、従来のリクライニング椅子のように姿勢変更機構が複雑でなく、各部材の簡単な連結構成であるから、製造コストも低く安定した動作を実現できる。
【図面の簡単な説明】
【００４１】
【図１】実施の形態１を説明する側面図である。
【図２】実施の形態２を説明する側面図である。
【図３】実施の形態３を説明する側面図である。
【図４】実施の形態４を説明する側面図である。
【図５】実施の形態５を説明する側面図である。
【図６】実施の形態４の椅子を下方から見た斜視図である。
【図７】実施の形態４の椅子の正面図である。
【図８】座部支持棹と背もたれ部支持棹とを、ヒンジを用いて連結した形態の説明図である。
【図９】弾性部材を取り付けた他の態様のリクライニング椅子である。
【図１０】弾性部材を取り付けた他の態様のリクライニング椅子である。
【図１１】弾性部材を取り付けた他の態様のリクライニング椅子である。
【図１２】弾性部材を取り付けた他の態様のリクライニング椅子である。
【図１３】弾性部材を取り付けた他の態様のリクライニング椅子である。
【図１４】弾性部材を取り付けた他の態様のリクライニング椅子である。
【図１５】弾性部材を取り付けた他の態様のリクライニング椅子である。
【図１６】弾性部材を取り付けた他の態様のリクライニング椅子である。
【図１７】弾性部材を取り付けた他の態様のリクライニング椅子である。
【図１８】弾性部材を取り付けた他の態様のリクライニング椅子である。
【図１９】弾性部材を取り付けた他の態様のリクライニング椅子である。
【図２０】弾性部材を取り付けた他の態様のリクライニング椅子である。
【図２１】弾性部材を取り付けた他の態様のリクライニング椅子である。
【符号の説明】
【００４２】
１    脚台
１ａ  軸穴
２    脚柱
２ａ  軸穴（最下部）
２ｂ  軸穴（下部）
２ｃ  軸穴（中間部）
２ｄ  軸穴（上端部）
３    座部支持棹
３ａ  軸穴、長穴（丸型あるいは長穴型）
３ｂ  座部
４    背もたれ部支持棹
４ａ  軸芯（長穴における初期位置）
４ａ’軸芯（長穴における稼働限界位置）
４ｂ  軸穴（背もたれ部支持棹の下端）
４ｃ  軸穴（背もたれ部支持棹の最下端）
４ｄ  背もたれ部
６Ａ、６Ａ’  第１弾性部材（脚台―脚柱）  
６Ｂ  第２弾性部材（脚台上端―背もたれ部支持棹）
６Ｃ  第３弾性部材（脚台中間部―背もたれ部支持棹）
６Ｄ、６Ｅ  弾性部材
６ＲＡ  固定部材（脚台―脚柱）
７    アームレスト
Ａ，Ｂ，Ｃ  ピン支点
【図１】
2006006744.tif 000003
【図２】
2006006744.tif 000004
【図３】
2006006744.tif 000005
【図４】
2006006744.tif 000006
【図５】
2006006744.tif 000007
【図６】
2006006744.tif 000008
【図７】
2006006744.tif 000009
【図８】
2006006744.tif 000010
【図９】
2006006744.tif 000011
【図１０】
2006006744.tif 000012
【図１１】
2006006744.tif 000013
【図１２】
2006006744.tif 000014
【図１３】
2006006744.tif 000015
【図１４】
2006006744.tif 000016
【図１５】
2006006744.tif 000017
【図１６】
2006006744.tif 000018
【図１７】
2006006744.tif 000019
【図１８】
2006006744.tif 000020
【図１９】
2006006744.tif 000021
【図２０】
2006006744.tif 000022
【図２１】
2006006744.tif 000023